(57)【特許請求の範囲】
【請求項１】
移動通信網及び固定通信網で構成される通信網内に設置され、情報提供者と通信網とを相互に接続し、情報提供者から提供される情報を通信網を介して情報利用者へ転送する関門接続装置において、
情報の優先度、情報利用者の要望・状態、通信網の状態等を管理する情報管理手段と、
前記情報管理手段によって収集された管理情報を活用して複数の情報の配信タイミングを制御する情報制御手段と、
情報提供者から受信した情報をその属性に応じて振り分ける情報振り分け手段と、
前記情報振り分け手段によって振り分けされた情報をその属性毎に蓄積し、前記情報制御手段からの指示に基づいて情報を配信する情報配信手段とから構成され、
前記情報の属性として、
他のどの情報よりも優先的な配信を要求する最優先配信種別と、
通信網の帯域を一定時間確保し、連続的な配信を要求する連続配信種別と、
一旦蓄積し、指定された時刻や車両運転中等の利用者の状態を鑑みた配信を要求する蓄積配信種別と、
優先度や通信網の状態等に基づいて最適な配信を要求する高度配信種別とで表現される複数の情報配信種別を用いた
ことを特徴とする関門接続装置。
【請求項２】
請求項１に記載の関門接続装置において、
上記情報配信手段を、
他のどの情報よりも優先的に情報を配信する最優先配信手段と、
通信網の帯域を一定時間確保し、連続的に情報を配信する連続配信手段と、
受信した情報を一旦蓄積し、指定された時刻や車両運転中等の利用者の状態を鑑みて情報を配信する蓄積配信手段と、
情報の優先度や通信網の状態等に基づいて情報を最適に配信する高度配信手段と、
さらに、前記最優先配信手段、連続配信手段、蓄積配信手段及び高度配信手段を連携させて総合的な情報配信を行う連携情報配信手段とから構成した
ことを特徴とする関門接続装置。
【請求項３】
請求項２に記載の関門接続装置において、
上記情報制御手段を、
上記最優先配信手段における情報配信タイミングを制御する最優先配信制御手段と、
上記連続配信手段における情報配信タイミングを制御する連続配信制御手段と、
上記蓄積配信手段における情報配信タイミングを制御する蓄積配信制御手段と、
上記高度配信手段における情報配信タイミングを制御する高度配信制御手段と、
さらに、上記連携情報配信手段における情報配信タイミングを、前記最優先配信制御手段、連続配信制御手段、蓄積配信制御手段及び高度配信制御手段を連携させて総合的に制御する連携情報配信制御手段とから構成した
ことを特徴とする関門接続装置。
【請求項４】
請求項３に記載の関門接続装置において、
上記情報管理手段を、
上記最優先配信制御手段において活用する、情報の優先度等を管理する最優先配信管理手段と、
上記連続配信制御手段において活用する、交通事故・災害情報等の連続配信情報や連続配信時に要求される通信網の帯域等を管理する連続配信管理手段と、
上記蓄積配信制御手段において活用する、情報の配信時刻や車両運転中等の利用者の状態等を管理する蓄積配信管理手段と、
上記高度配信制御手段において活用する、情報の優先度、通信網の状態等を管理する高度配信管理手段と、
さらに、上記連携情報配信制御手段において活用する、前記最優先配信管理手段、連続配信管理手段、蓄積配信管理手段及び高度配信管理手段の各管理情報を連携させて総合的な管理を行う連携情報配信管理手段とから構成した
ことを特徴とする関門接続装置。
【発明の詳細な説明】
【０００１】
【発明の属する技術分野】
本発明は、情報提供者から提供される情報を通信網を介して情報利用者へ転送する関門接続装置に関するものである。
【０００２】
【従来の技術】
従来のこの種の情報転送方法としては、移動通信網内に設置された関門接続装置を介して情報提供者と移動通信網とを相互に接続し、この関門接続装置に情報提供者から提供される情報を蓄積し、情報利用者へ配信する方法があった。この方法は、携帯電話等の移動端末機から電子メールやインタネットを利用するモバイルインタネットサービス等に既に適用されている。
【０００３】
【発明が解決しようとする課題】
しかし、前述した従来の情報転送方法は、移動通信網を対象とした転送方法であり、移動通信網及び固定通信網が混在する環境下では適用できないという問題があった。
【０００４】
また、前述した従来の情報転送方法は、取り扱う情報の属性が単一であり、複数の属性を取り扱うことができないため、複数の属性を持った情報が混在する環境下では適用できないという問題があった。
【０００５】
さらにまた、従来の情報転送方法は、情報提供者からの情報を蓄積し、情報利用者からの要望に応じて情報を転送する情報転送方法であり、利用者の状態や通信網の状態等を鑑みた情報転送を行っていないため、車両運転中の利用者に情報を転送してドライバーの負荷を増加させたり、通信網が混んでいる時に情報を転送して輻輳を引き起こしたりする等の問題を引き起こす可能性があった。
【０００６】
本発明の目的は、移動通信網及び固定通信網が混在する環境下でも情報を転送可能な関門接続装置を提供することにある。
【０００７】
また、本発明の目的は、複数の属性を持った情報が混在する環境下でも情報を転送可能な関門接続装置を提供することにある。
【０００８】
また、本発明の目的は、情報の優先度、利用者の要望・状態、通信網の状況等に応じた最適なタイミングで情報を転送可能な関門接続装置を提供することにある。
【０００９】
【課題を解決するための手段】
上記目的を達成するため、本発明では、情報提供者から提供される情報を通信網を介して情報利用者へ転送する情報転送方法において、移動通信網及び固定通信網で構成される通信網内に設置され、情報提供者と通信網とを相互に接続する関門接続装置を用いて、情報提供者から提供される情報をその属性に応じて振り分け・蓄積し、該蓄積した情報を、その優先度、情報利用者の要望・状態、通信網の状態等を鑑みて情報利用者へ配信することを特徴とする。
【００１０】
本発明によれば、情報提供者が移動通信網及び固定通信網で構成される通信網内に設置された関門接続装置に接続し、当該関門接続装置を介して情報転送を行うため、移動通信網及び固定通信網が混在する環境下においても適用することができる。また、前記関門接続装置は、情報の属性に応じた振り分け・蓄積を行うため、複数の属性を持った情報が混在する環境下においても適用することができる。さらに、前記関門接続装置は、情報利用者の状態や通信網の状態等を鑑みた情報配信を行うため、車両運転中の利用者に情報を転送してドライバーの負荷を増加させたり、通信網が混んでいる時に情報を転送して輻輳を引き起こしたりすること等の問題を未然に防ぐことができる。
【００１１】
また、前記関門接続装置は、情報の優先度、情報利用者の要望・状態、通信網の状態等を管理する情報管理手段と、前記情報管理手段によって収集された管理情報を活用して、複数の情報の配信タイミングを制御する情報制御手段と、情報提供者から受信した情報をその属性に応じて振り分ける情報振り分け手段と、前記情報振り分け手段によって振り分けされた情報をその属性毎に蓄積し、前記情報制御手段からの指示に基づいて情報を配信する情報配信手段とから構成することができ、これによって複数の属性を持った情報が混在する環境下においても情報を転送でき、利用者の状態や通信網の状態等を鑑みて最適なタイミングで情報を転送できる。
【００１２】
ここで、情報の属性として、他のどの情報よりも優先的な配信を要求する最優先配信種別と、通信網の帯域を一定時間確保し、連続的な配信を要求する連続配信種別と、一旦蓄積し、指定された時刻や車両運転中等の利用者の状態を鑑みた配信を要求する蓄積配信種別と、優先度や通信網の状態等に基づいて最適な配信を要求する高度配信種別とで表現される複数の情報配信種別を用いることができ、複数の属性を持った情報が混在する環境下においても適用できることは明らかである。
【００１３】
また、前記関門接続装置の情報配信手段は、他のどの情報よりも優先的に情報を配信する最優先配信手段と、通信網の帯域を一定時間確保し、連続的に情報を配信する連続配信手段と、受信した情報を一旦蓄積し、指定された時刻や車両運転中等の利用者の状態を鑑みて情報を配信する蓄積配信手段と、情報の優先度や通信網の状態等に基づいて情報を最適に配信する高度配信手段と、さらに、前記最優先配信手段、連続配信手段、蓄積配信手段及び高度配信手段を連携させて総合的な情報配信を行う連携情報配信手段とから構成することができる。
【００１４】
また、前記関門接続装置の情報制御手段は、前記最優先配信手段における情報配信タイミングを制御する最優先配信制御手段と、前記連続配信手段における情報配信タイミングを制御する連続配信制御手段と、前記蓄積配信手段における情報配信タイミングを制御する蓄積配信制御手段と、前記高度配信手段における情報配信タイミングを制御する高度配信制御手段と、さらに、前記連携情報配信手段における情報配信タイミングを、前記最優先配信制御手段、連続配信制御手段、蓄積配信制御手段及び高度配信制御手段を連携させて総合的に制御する連携情報配信制御手段とから構成することができる。
【００１５】
さらにまた、前記関門接続装置の情報管理手段は、前記最優先配信制御手段において活用する、情報の優先度等を管理する最優先配信管理手段と、前記連続配信制御手段において活用する、交通事故・災害情報等の連続配信情報や連続配信時に要求される通信網の帯域等を管理する連続配信管理手段と、前記蓄積配信制御手段において活用する、情報の配信時刻や車両運転中等の利用者の状態等を管理する蓄積配信管理手段と、前記高度配信制御手段において活用する、情報の優先度、通信網の状態等を管理する高度配信管理手段と、さらに、前記連携情報制御手段において活用する、前記最優先配信管理手段、連続配信管理手段、蓄積配信管理手段及び高度配信管理手段の各管理情報を連携させて総合的に管理する連携情報配信管理手段とから構成することができる。
【００１６】
【発明の実施の形態】
以下、図面を用いて本発明の実施の形態を説明する。
【００１７】
図１は本発明の情報転送方法のシステム構成を示すもので、図中、１は情報提供者、２は関門接続装置、３は移動通信網、４は固定通信網、５は移動端末機、６は固定端末機である。
【００１８】
関門接続装置２は、情報をその属性に応じて振り分け・蓄積する振り分け・蓄積機能と、蓄積した情報を、その優先度、情報利用者の要望・状態、通信網の状態等を鑑みて情報利用者へ配信する配信機能とを備え、移動通信網３及び固定通信網４で構成される通信網内に設置され、情報提供者１と通信網とを相互に接続する。
【００１９】
図１において、情報を提供する情報提供者１は関門接続装置２に接続され、該情報提供者１から提供された情報はその属性に応じて関門接続装置２で振り分け・蓄積され、情報の優先度、利用者の要望・状態、通信網の状況等を鑑みて、移動端末機５や固定端末機６に（正確に言えばこれらを所持する情報利用者に）配信される。この時、移動端末機５に配信される情報は移動通信網３を経由して転送され、固定端末機６に配信される情報は固定通信網６を経由して転送される。
【００２０】
次に、図２を参照して関門接続装置２の基本構成をその動作とともに説明する。
【００２１】
図２において、１０は情報振分け部、２０は情報配信部、３０は情報制御部、４０は情報管理部であり、これらが関門接続装置２を構成する。
【００２２】
情報管理部４０は、情報の優先度、利用者の要望・状態、通信網の状態等を管理する。情報制御部３０は、情報管理部４０によって収集された管理情報を活用して複数の情報の配信タイミングを制御する。情報振分け部１０は、情報提供者１から受信した情報をその属性に応じて振り分ける。情報配信部２０は、情報振分け部１０によって振り分けられた情報をその属性毎に蓄積し、情報制御部３０からの指示に基づいて情報を配信する。
【００２３】
以下、情報の属性として、他のどの情報よりも優先的な配信を要求する最優先配信種別と、通信網の帯域を一定時間確保し、連続的な配信を要求する連続配信種別と、一旦蓄積し、指定された時刻や車両運転中等の利用者の状態を鑑みた配信を要求する蓄積配信種別と、優先度や通信網の状態等に基づいて最適な配信を要求する高度配信種別とで表現される複数の異なる情報配信種別を用いるものとする。
【００２４】
情報提供者１から送られてきた情報は、情報振分け部１０で情報配信種別毎に振り分けられた後、情報配信部２０に情報配信種別毎に蓄積され、移動通信網３または固定通信網４を経由して情報利用者に転送される。この時、情報配信部２０は複数の異なる情報配信種別からなる情報を取り扱うが、これら複数の情報配信タイミングは情報制御部３０からの指示に基づいて実施される。また、情報制御部３０は、複数の情報の配信タイミングを情報配信部２０に指示するが、これらの情報配信タイミングは情報管理部４０が収集した管理情報に基づいて判断を行う。
【００２５】
次に、図３を参照して関門接続装置２の詳細構成をその動作とともに説明する。
【００２６】
情報振分け部１０は、情報提供者から受信した情報を、前述した最優先配信種別、連続配信種別、蓄積配信種別及び高度配信種別で表現される複数の異なる情報配信種別に基づいて振り分け、情報配信部２０へ送る。
【００２７】
情報配信部２０は、他のどの情報よりも優先的に情報を配信する最優先配信部２１と、通信網の帯域を一定時間確保し、連続的に情報を配信する連続配信部２２と、受信した情報を一旦蓄積し、指定された時刻や車両運転中等の利用者の状態を鑑みて情報を配信する蓄積配信部２３と、情報の優先度や通信網の状態等に基づいて情報を最適に配信する高度配信部２４と、さらに、最優先配信部２１、連続配信部２２、蓄積配信部２３及び高度配信部２４を連携させて総合的な情報配信を行う連携情報配信部２５とから構成されている。
【００２８】
また、情報制御部３０は、最優先配信部２１における情報配信タイミングを制御する最優先配信制御部３１と、連続配信部２２における情報配信タイミングを制御する連続配信制御部３２と、蓄積配信部２３における情報配信タイミングを制御する蓄積配信制御部３３と、高度配信部２４における情報配信タイミングを制御する高度配信制御部３４と、さらに、連携情報配信部２５における情報配信タイミングを、最優先配信制御部３１、連続配信制御部３２、蓄積配信制御部３３及び高度配信制御部３４を連携させて総合的に制御する連携情報配信制御部３５とから構成されている。
【００２９】
また、情報管理部４０は、最優先配信制御部３１において活用する、情報の優先度等を管理する最優先配信管理部４１と、連続配信制御部３２において活用する、交通事故災害情報等の連続配信情報や連続配信時に要求される通信網の帯域等を管理する連続配信管理部４２と、蓄積配信制御部３３において活用する、情報の配信時刻や車両運転中等の利用者の状態等を管理する蓄積配信管理部４３と、高度配信制御部３４において活用する、情報の優先度、通信網の状態等を管理する高度配信管理部４４と、さらに、連携情報制御部３５において活用する、最優先配信管理部４１、連続配信管理部４２、蓄積配信管理部４３及び高度配信管理４４の各管理情報を連携させて総合的な管理を行う連携情報管理制御部４５とから構成されている。
【００３０】
前記構成において、情報提供者から送られてきた情報の種別が「最優先配信種別」の場合、当該情報は情報振分け部１０で振り分けられ、最優先配信部２１に蓄積された後、最優先配信制御部３１の指示に基づいて連携情報配信部２５に転送される。この時、最優先配信制御部３１は、最優先配信管理部４１が収集した管理情報に基づいて配信のタイミングを指示する。
【００３１】
また、情報提供者から送られてきた情報の種別が「連続配信種別」の場合、当該情報は情報振分け部１０で振り分けられ、連続配信部２２に蓄積された後、連続配信制御部３２の指示に基づいて連携情報配信部２５に転送される。この時、連続配信制御部３２は、連続配信管理部４２が収集した管理情報に基づいて配信のタイミングを指示する。
【００３２】
また、情報提供者から送られてきた情報の種別が「蓄積配信種別」の場合、当該情報は情報振分け部１０で振り分けられ、蓄積配信部２３に蓄積された後、蓄積配信制御部３３の指示に基づいて連携情報配信部２５に転送される。この時、蓄積配信制御部３３は、蓄積配信管理部４３が収集した管理情報に基づいて配信のタイミングを指示する。
【００３３】
さらにまた、情報提供者から送られてきた情報の種別が「高度配信種別」の場合、当該情報は情報振分け部１０で振り分けられ、高度配信部２４に蓄積された後、高度配信制御部３４の指示に基づいて連携情報配信部２５に転送される。この時、高度配信制御部３４は、高度配信管理部４４が収集した管理情報に基づいて配信のタイミングを指示する。
【００３４】
上記のように、最優先配信部２１、連続配信部２２、蓄積配信部２３及び高度配信部２４から転送された情報は、連携情報配信部２５に蓄積された後、連携情報配信制御部３５の指示に基づいて情報利用者に転送される。この時、連携情報配信制御部３５は、連携情報配信管理部４５が収集した管理情報に基づいて配信のタイミングを指示する。
【００３５】
【発明の効果】
以上説明したように、本発明によれば、情報提供者が移動通信網及び固定通信網で構成される通信網内に設置された関門接続装置に接続し、当該関門接続装置を介して情報転送を行うため、移動通信網及び固定通信網が混在する環境下においても適用することができ、情報を転送することができる。
【００３６】
また、前記関門接続装置は、情報の属性に応じた振り分け・蓄積を行うため、複数の属性を持った情報が混在する環境下においても適用することができ、情報を転送することができる。さらに、前記関門接続装置は、利用者の状態や通信網の状態等を鑑みた情報配信を行うため、車両運転中の利用者に情報を転送してドライバの負荷を増加させたり、通信網が混んでいる時に情報を転送して輻輳を引き起こしたりすること等の問題を未然に防ぐことができる。
【図面の簡単な説明】
【図１】本発明の情報転送方法の実施の形態を示すシステム構成図
【図２】図１中の関門接続装置の基本構成を示す図
【図３】図１中の関門接続装置の詳細構成を示す図
【符号の説明】
１：情報提供者、２：関門接続装置、３：移動通信網、４：固定通信網、５：移動端末機、６：固定端末機、１０：情報振分け部、２０：情報配信部、２１：最優先配信部、２２：連続配信部、２３：蓄積配信部、２４：高度配信部、２５：連携情報配信部、３０：情報制御部、３１：最優先配信制御部、３２：連続配信制御部、３３：蓄積配信制御部、３４：高度配信制御部、３５：連携情報配信制御部、４０：情報管理部、４１：最優先配信管理部、４２：連続配信管理部、４３：蓄積配信管理部、４４：高度配信管理部、４５：連携情報配信管理部。
【図１】
0003825265.tif 000002
【図２】
0003825265.tif 000003
【図３】
0003825265.tif 000004